(57)【要約】【課題】電子申請基盤サーバが受け付けることができる様式とは異なる様式の電子申請を受け付けることを可能とする電子申請システムを提供することを目的とする。【解決手段】本発明は、電子申請基盤サーバが受け付けることができる様式とは異なる様式の電子申請を受け付けた場合に、当該異なる様式に関する処理は、電子申請基盤サーバ３とは別に設けられた帳票管理サーバ４において行なうことにより、異なる様式の電子申請を可能にする電子申請システムである。【選択図】    図１
2004272444.tif 000002
【特許請求の範囲】
【請求項１】
帳票の様式のうち第１の様式に沿った複数の様式情報を含む第１の様式情報処理用プログラムを格納する帳票管理サーバと、
手続き情報と、様式情報とを関連付けるテーブルを具備し、クライアントコンピュータからの異なる様式の申請の処理を行なう電子申請基盤サーバとを具備し、
前記電子申請基盤サーバは、
クライアントから送信される申請された手続きを示す手続き情報に基づいて、前記テーブルから前記手続き情報に対応する様式情報を取得する手段と、
前記取得された様式情報を前記帳票管理サーバに送信する手段とを具備し、
前記帳票管理サーバは、
前記送信された様式情報を、前記第１の様式情報処理プログラムによって、前記第１の様式に沿うように変換し、この変換された様式情報を前記電子申請基盤サーバに送信する手段を具備し、
前記電子申請基盤サーバは、
前記第１の様式に沿うように変換された様式情報を前記クライアントに送信し、この送信された様式情報に付加される申請データを受信し、前記帳票管理サーバに送信する手段を具備し、
前記帳票管理サーバは、
前記送信された申請データの形式を前記電子申請基盤サーバに登録するための形式に変換し、この変換された申請データを前記電子申請基盤サーバに送信する手段を具備し、
前記電子申請基盤サーバは、
前記変換された申請データを登録する手段を具備することを特徴とする電子申請システム。
【請求項２】
前記帳票管理サーバは、前記送信された様式情報をＨＴＭＬ形式の様式情報に変換することを特徴とする請求項１記載の電子申請システム。
【請求項３】
前記帳票管理サーバは、前記申請データの形式をＸＭＬ形式の申請データに変換することを特徴とする請求項１記載の電子申請システム。
【請求項４】
前記電子申請基盤サーバは、
前記クライアントからの前記第１の様式の登録要求に応じて、前記帳票管理サーバに登録されている前記第１の様式に沿った複数の様式情報の一覧を前記クライアントへ送信する手段と、
前記送信された第１の様式に沿った複数の様式情報の一覧に基づいて、前記クライアントにおいて選択された第１の様式の様式情報を、前記テーブルに登録する手段と
をさらに具備することを特徴とする請求項１記載の電子申請システム。
【請求項５】
前記電子申請基盤サーバは、
前記テーブルに登録が完了したことを前記クライアントに通知する手段をさらに具備することを特徴とする請求項４記載の電子申請システム。
【請求項６】
前記電子申請基盤サーバは、
クライアントから送信される所定の様式情報を取得するための情報に基づいて、前記送信された所定の様式情報を取得するための情報に対応する登録された申請データを取得する手段と、
前記取得した申請データを前記帳票管理サーバに送信する手段を具備し、
前記帳票管理サーバは、
前記取得した申請データを、前記第１の様式情報処理用プログラムを使用して、前記第１の様式の申請書フォームにマージし、この申請書フォームにマージされた申請データを前記クライアントにおいて表示可能な形式に変換する手段を具備し、
前記電子申請基盤サーバは、
前記クライアントにおいて表示可能な形式に変換され、前記申請書フォームにマージされた申請データを前記クライアントに送信する手段をさらに具備することを特徴とする請求項１記載の電子申請システム。
【請求項７】
前記帳票管理サーバは、前記申請書フォームにマージされた申請データをＨＴＭＬ形式に変換することを特徴とする請求項６記載の電子申請システム。
【請求項８】
帳票の様式のうち第１の様式に沿った複数の様式情報を含む第１の様式情報処理用プログラムを格納する帳票管理サーバと、
手続き情報と、様式情報とを関連付けるテーブルを具備し、クライアントコンピュータからの異なる様式の申請の処理を行なう電子申請基盤サーバとを具備する電子申請システムにおける電子申請方法において、
前記電子申請基盤サーバにおいて、クライアントから送信される申請された手続きを示す手続き情報に基づいて、前記テーブルから前記手続き情報に対応する様式情報を取得し、前記取得された様式情報を前記帳票管理サーバに送信し、
前記帳票管理サーバにおいて、前記送信された様式情報を、前記第１の様式情報処理プログラムによって、前記第１の様式に沿うように変換し、この変換された様式情報を前記電子申請基盤サーバに送信し、
前記電子申請基盤サーバにおいて、前記第１の様式に沿うように変換された様式情報を前記クライアントに送信し、この送信された様式情報に付加される申請データを受信し、前記帳票管理サーバに送信し、
前記帳票管理サーバにおいて、前記送信された申請データの形式を前記電子申請基盤サーバに登録するための形式に変換し、この変換された申請データを前記電子申請基盤サーバに送信し、
前記電子申請基盤サーバにおいて、前記変換された申請データを登録することを特徴とする電子申請方法。
【請求項９】
前記帳票管理サーバは、前記送信された様式情報をＨＴＭＬ形式の様式情報に変換することを特徴とする請求項８記載の電子申請方法。
【請求項１０】
前記帳票管理サーバは、前記申請データの形式をＸＭＬ形式の申請データに変換することを特徴とする請求項８記載の電子申請方法。
【請求項１１】
前記電子申請基盤サーバにおいて、前記クライアントからの前記第１の様式の登録要求に応じて、前記帳票管理サーバに登録されている前記第１の様式に沿った複数の様式情報の一覧を前記クライアントへ送信し、前記送信された第１の様式に沿った複数の様式情報の一覧に基づいて、前記クライアントにおいて選択された第１の様式の様式情報を、前記テーブルに登録するステップをさらに具備することを特徴とする請求項８記載の電子申請方法。
【請求項１２】
前記電子申請基盤サーバにおいて、前記テーブルに登録が完了したことを前記クライアントに通知するステップをさらに具備することを特徴とする請求項１１記載の電子申請方法。
【請求項１３】
前記電子申請基盤サーバにおいて、クライアントから送信される所定の様式情報を取得するための情報に基づいて、前記送信された所定の様式情報を取得するための情報に対応する登録された申請データを取得し、前記取得した申請データを前記帳票管理サーバに送信し、
前記帳票管理サーバにおいて、前記取得した申請データを、前記第１の様式情報処理用プログラムを使用して、前記第１の様式の申請書フォームにマージし、この申請書フォームにマージされた申請データを前記クライアントにおいて表示可能な形式に変換し、
前記電子申請基盤サーバにおいて、前記クライアントにおいて表示可能な形式に変換され、前記申請書フォームにマージされた申請データを前記クライアントに送信するステップをさらに具備することを特徴とする請求項８記載の電子申請方法。
【請求項１４】
前記帳票管理サーバは、前記申請書フォームにマージされた申請データをＨＴＭＬ形式に変換することを特徴とする請求項１３記載の電子申請方法。
【発明の詳細な説明】
【０００１】
【発明の属する技術分野】
本発明は、行政機関及び民間機関などに申請を行なう場合に使用される電子申請システムに関する。
【０００２】
【従来の技術】
近年、電気通信技術の発達により、行政機関及び民間機関などに行なう申請を電気通信回線を介して行なう電子申請システムが開発されている。
このような電子申請システムとして、例えば、異なる種類の書式の申請を受け付けることができるものが開発されている（例えば、特許文献１参照）。
【０００３】
【特許文献１】
特開平１１−３２８２８８号公報（第２段落）
【０００４】
【発明が解決しようとする課題】
しかしながら、従来の電子申請システムにおいては、他の様式に対しては申請の受け付けを行なうことはできなかった。ここで、「様式」とは、スタイルシート及びデータ構造からなる所定の言語（例えば、ＸＭＬ）に準拠した構造そのものを意味し、書式とは異なる。
【０００５】
この「様式」は、各社毎に異なるものであり、Ａ社の申請手続きについては全てＡ社の帳票の様式にしたがって行なわれ、Ｂ社の申請手続きについては全てＢ社の帳票の様式に従って行なわれている。また、申請手続きとは、例えば、住民票の申請、リゾートホテルの予約、スポーツクラブの入会申請などである。
【０００６】
本発明は、上記実情に鑑みてなされたものであり、異なる様式の申請にも対処することができる電子申請システムを提供することを目的とする。
【０００７】
【課題を解決するための手段】
したがって、上記目的を達成するために、本発明のうち第１の発明は、帳票の様式のうち第１の様式に沿った複数の様式情報を含む第１の様式情報処理用プログラムを格納する帳票管理サーバと、手続き情報と、様式情報とを関連付けるテーブルを具備し、クライアントコンピュータからの異なる様式の申請の処理を行なう電子申請基盤サーバとを具備し、前記電子申請基盤サーバは、クライアントから送信される申請された手続きを示す手続き情報に基づいて、前記テーブルから前記手続き情報に対応する様式情報を取得する手段と、前記取得された様式情報を前記帳票管理サーバに送信する手段とを具備し、前記帳票管理サーバは、前記送信された様式情報を、前記第１の様式情報処理プログラムによって、前記第１の様式に沿うように変換し、この変換された様式情報を前記電子申請基盤サーバに送信する手段を具備し、前記電子申請基盤サーバは、前記第１の様式に沿うように変換された様式情報を前記クライアントに送信し、この送信された様式情報に付加される申請データを受信し、前記帳票管理サーバに送信する手段を具備し、前記帳票管理サーバは、前記送信された申請データの形式を前記電子申請基盤サーバに登録するための形式に変換し、この変換された申請データを前記電子申請基盤サーバに送信する手段を具備し、前記電子申請基盤サーバは、前記変換された申請データを登録する手段を具備することを特徴とする電子申請システム、である。
【０００８】
また、第２の発明は、第１の発明において、前記電子申請基盤サーバは、前記クライアントからの前記第１の様式の登録要求に応じて、前記帳票管理サーバに登録されている前記第１の様式に沿った複数の様式情報の一覧を前記クライアントへ送信する手段と、前記送信された第１の様式に沿った複数の様式情報の一覧に基づいて、前記クライアントにおいて選択された第１の様式の様式情報を、前記テーブルに登録する手段とをさらに具備することを特徴とする電子申請システム、である。
【０００９】
さらに、第３の発明は、第１の発明において、前記電子申請基盤サーバは、クライアントから送信される所定の様式情報を取得するための情報に基づいて、前記送信された所定の様式情報を取得するための情報に対応する登録された申請データを取得する手段と、前記取得した申請データを前記帳票管理サーバに送信する手段を具備し、前記帳票管理サーバは、前記取得した申請データを、前記第１の様式情報処理用プログラムを使用して、前記第１の様式の申請書フォームにマージし、この申請書フォームにマージされた申請データを前記クライアントにおいて表示可能な形式に変換する手段を具備し、前記電子申請基盤サーバは、前記クライアントにおいて表示可能な形式に変換され、前記申請書フォームにマージされた申請データを前記クライアントに送信する手段をさらに具備することを特徴とする電子申請システム、である。
【００１０】
【発明の実施の形態】
以下、図面を参照して、本発明の実施の形態に係る電子申請システムについて説明する。
【００１１】
図１は、本発明の実施の形態に係る電子申請システムについて説明するための図である。
【００１２】
同図に示すように、本発明の実施の形態に係る電子申請システムは、クライアントコンピュータ１と、電子申請基盤サーバ３とがインターネット２を介して接続されている。
【００１３】
この電子申請基盤サーバ３は、窓口サーバ５、基盤サーバ６及びデータベースサーバ７を具備している。また、この電子申請基盤サーバ３は、ネットワークを介して帳票管理サーバ４に接続されている。
【００１４】
本発明の実施の形態においては、窓口サーバ５、基盤サーバ６及びデータベースサーバ７を別々に設けた場合について説明するが、これらサーバは１つであっても良い。
【００１５】
窓口サーバ５は、クライアントコンピュータ１との関係においてＷＥＢサーバとしての機能を果たすとともに、基盤サーバ６を介してデータベースサーバ７にアクセスすることが可能である。また、窓口サーバ５は、所定の様式Ｂの管理を行なう帳票管理サーバ４に対してアクセス可能である。
【００１６】
ここで、本発明の実施の形態において、「様式」とは、スタイルシート及びデータ構造からなる所定の言語（例えば、ＸＭＬ）に準拠した構造そのものを意味し、単なる書式とは異なる。
【００１７】
窓口サーバ５は、帳票管理サーバ４及び基盤サーバ６に対してＳＯＡＰプロトコルを使用した通信を行なう。ここで、ＳＯＡＰプロトコルとは、Ａｐａｃｈｅ  Ｓｏｆｔｗａｒｅ  Ｆｏｕｎｄａｔｉｏｎによって公開されているプロトコルである。
【００１８】
基盤サーバ６は、窓口サーバ５及びデータベースサーバ７に対してアクセス可能であり、帳票管理サーバ４において管理される様式Ｂとは異なる様式Ａの処理するための様式Ａ処理用プログラムを有する。この様式Ａ処理用プログラムは、様式Ａの様式情報の一覧情報を具備している。
【００１９】
データベースサーバ７は、図３に示す申請内容テーブル２１、申請手続きテーブル２２、登録要求（文書）テーブル２３及び様式テーブル２４を具備している。
【００２０】
申請内容テーブル２１には、申請ＩＤ、手続きＩＤ、申請データ仮受付ＩＤ、受付ＩＤ、審査結果、処理状態、申請データ到達日時などの情報が格納されている。
【００２１】
申請手続きテーブル２２には、手続きＩＤ、カテゴリＩＤ、申請データ登録要求ＩＤ、審査結果登録要求ＩＤ、公文書登録要求ＩＤ，部署ＩＤ、手続き名、審査要否、公文書発行要否、更新日時、利用可否フラグ、削除フラグなどの情報が格納されている。
【００２２】
登録要求（文書）テーブル２３には、登録要求ＩＤ、登録要求種別、カテゴリＩＤ、部署ＩＤ、手続きＩＤ、手続き名、手数料種別、手数料、納付期限、納付情報、受付確定要否、更新日時、削除フラグ、振り分け区分、枝版、用途種別、文書種別、文書名、様式ＩＤ、送信方法、必須フラグなどの情報が格納されている。
【００２３】
様式テーブル２４には、様式ＩＤ、バージョン、様式名、利用可能フラグ、更新日時、署名要否、文書有効期限、削除フラグ、署名検討要否、ファイル形式、任意情報などの情報が格納されている。上記様式テーブルに格納される情報は様式情報であり、この様式情報はユーザによってデータベースサーバに登録される。
【００２４】
帳票管理サーバ４は、様式Ｂの処理を行なうための様式Ｂ処理用プログラムを有し、この様式Ｂ処理用プログラムは、様式Ｂの様式情報の一覧情報を具備している。上記様式Ｂ処理用プログラムは、帳票管理サーバ４における様式Ｂに関する処理全体を司るものである。
【００２５】
以下、図２のシーケンス図及び図４のフローチャートを参照して、データベースサーバの様式テーブルに様式Ｂの様式情報を登録する場合の処理について説明する。
【００２６】
まず、図２に示すように、予め、クライアントコンピュータ１から様式Ｂ処理用プログラム１１を帳票管理サーバ４にアップロードしておく。ここでは、電子申請基盤サーバは、様式Ａ処理用のものであることを前提とし、様式Ａ処理用プログラム１２は、基盤サーバ６にインストールされているものとする。
【００２７】
様式Ｂ処理用プログラム１１は、様式Ｂの様式情報の一覧を具備するとともに、データを様式Ｂに沿うように変換する機能などを有するプログラムである。また、様式Ａ処理用プログラム１２は、様式Ａの様式情報の一覧を具備するとともに、データを様式Ａに沿うように変換する機能などを有するプログラムである。
【００２８】
データベースサーバ７に新たな様式Ｂの様式情報を追加する場合、クライアントコンピュータ１において、図５に示すような様式Ｂの様式名の一覧を表示する画面を表示し、様式の追加ボタン３１を押下する。これにより、クライアントコンピュータ１から窓口サーバ５に対して様式Ｂの新規登録要求が行なわれる（図２のＴ１）。
【００２９】
窓口サーバ５においては、クライアントコンピュータ１から様式Ｂの様式情報の登録要求を受信したか否かの判断が行なわれ（図４のＳ１）、受信したと判断された場合には、帳票管理サーバ４に対して様式Ｂの様式情報の一覧要求を出力し（図２のＴ２、図４のＳ２）、帳票管理サーバ４から様式Ｂの様式情報の一覧を取得し（図２のＴ３、図４のＳ３）、クライアントコンピュータ１に送信する（図２のＴ４、図４のＳ３）。
【００３０】
クライアントコンピュータ１においては、窓口サーバ５から送信された様式情報の一覧に基づいて、図６に示すような様式新規作成画面を表示する。図６に示した画面においては、取得した様式情報の一覧のうち、様式ファイルについてはプルダウンメニュー４１により、所望の様式ファイルをユーザが選択することが可能であり、様式ＩＤ、バージョン、様式名、有効／無効については、ユーザが入力することができる。また、様式種別については申請書であること、署名は必要ではないことなどの情報も表示される。
【００３１】
図６に示す画面において、ユーザがデータベースサーバ７に登録する様式Ｂの様式情報を入力或いは選択して、登録ボタン４２を押下すると、クライアントコンピュータ１から選択された様式情報が窓口サーバ５に送信される（図２のＴ５）。窓口サーバ５においては、クライアント１から選択された様式情報を受信したか否かの判断を行ない（図４のＳ４）、受信したと判断された場合には、受信した様式情報をデータベースサーバ７の様式テーブルに登録する（図２のＴ６、図４のＳ５）。
【００３２】
その後、データベースサーバ７から登録結果の通知があるか否かの判断が行なわれ（図２のＴ７、図４のＳ６）、登録結果をクライアントコンピュータ１に送信し、表示させる（図２のＴ８、図４のＳ７）。図７は、クライアントコンピュータ１に表示された登録結果を示す画面の例である。これにより、データベースサーバの様式テーブルにクライアントコンピュータ１によって選択された様式情報を様式テーブルに登録することができる。
【００３３】
次に、本発明の実施の形態に係る電子申請システムにおける電子申請方法について、図８のシーケンス図及び図９のフローチャートを参照して説明する。
【００３４】
クライアントコンピュータ１において、申請の対象となる手続きを表示し、この表示された申請の対象となる手続きをユーザが選択する。図１０は、クライアントコンピュータ１に表示される申請手続き一覧画面を示す図である。なお、この申請手続き一覧画面は、様式Ｂに基づくものであり、手続きの種類としては、「リゾートホテルの予約」、「スポーツクラブ入会申込」、「住民票写しの交付申請」、「戸籍謄本・抄本などの交付申請」及び「転任届の提出」などが図１０においては例示されている。
【００３５】
このような申請手続き一覧画面において、ある申請手続きが選択されるとクライアントコンピュータ１から選択された申請手続きのＩＤを取得し（図８のＴ１１、図９のＳ１１）、選択された申請手続きのＩＤが窓口サーバ５からデータベースサーバ７に送られる（図８のＴ１２）。
【００３６】
データベースサーバ７には、上述のように、図３に示すようなテーブル（申請内容テーブル２１、申請手続きテーブル２２、登録要求（文書）テーブル２３及び様式テーブル２４が格納されている。
【００３７】
データベースサーバ７は、窓口サーバから送信された選択された申請手続きＩＤをキーとして、申請手続きテーブル２２、登録要求（文書）テーブル２３及び様式テーブル２４を連携し、選択された申請手続きＩＤに対応する様式テーブル２４に格納された様式情報（様式ＩＤ、バージョン、様式名、利用可能フラグなど）を取得する。
【００３８】
具体的には、本発明の実施の形態においては、図３に示すように、申請手続きテーブル２２に格納された手続きＩＤをキーとして、登録要求ＩＤ（申請データ登録要求ＩＤ、審査結果登録要求ＩＤ、公文書登録要求ＩＤ）を決定し、この登録要求ＩＤをキーとして、登録要求（文書）テーブル２３から様式ＩＤを決定する。そして、この決定された様式ＩＤをキーとして、様式テーブル２４から（様式Ｂの）様式情報を取得する。そして、この取得された様式Ｂの様式情報は、データベースサーバ７から窓口サーバ５に送信される（図８のＴ１３、図９のＳ１２）。
【００３９】
一方、申請手続き一覧画面において、手続きが選択されると、図１１に示すような申請書の取得・提出画面が表示される（図８のＴ１４）。この申請書の取得・提出画面において、「申請書を提出する」ボタン５１を押下すると、様式Ｂの申請書を作成する旨の通知が窓口サーバ５に通知される（図８のＴ１５）。
【００４０】
そして、窓口サーバ５に通知がおこなわれると、取得された様式Ｂの様式情報を帳票管理サーバ４に出力し（図９のＳ１３）、様式Ｂの様式情報の処理要求を行なう（図８のＴ１６）。帳票管理サーバ４においては、様式Ｂの様式情報を様式Ｂの様式に沿うようにＨＴＭＬ形式に変換し、変換後のＨＴＭＬ形式の様式Ｂの様式情報を窓口サーバ５に送信する（図８のＴ１７、図９のＳ１４）。
【００４１】
窓口サーバ５は、変換後のＨＴＭＬ形式の様式Ｂの様式情報をクライアントコンピュータ１に送信し、クライアントコンピュータ１に様式Ｂの申請書を表示させる（図８のＴ１８、図９のＳ１５）。
【００４２】
図１２及び図１３は、クライアントコンピュータ１に表示される様式Ｂの申請書を示す画面の一例である。図１２及び図１３においては、住民票の交付申請を行なうための住民票の交付申請書の画面を示している。
【００４３】
クライアントコンピュータ１のユーザは、表示された申請書の画面において、必要な申請データを全て入力し、入力が完了した場合には、図１３に示した「入力完了」ボタン６１を押下する。
【００４４】
この「入力完了」ボタン６１が押下されると、クライアントコンピュータ１から窓口サーバ５に対して入力が完了した旨の通知が行なわれるとともに（図８のＴ１９）、入力された申請データが窓口サーバ５に送信される。
【００４５】
窓口サーバ５は、クライアントコンピュータ１から申請データを受信し、帳票管理サーバ４に送信する（図９のＳ１６）。そして、窓口サーバ５は、帳票管理サーバ４に対して申請データの処理要求を行なう（図８のＴ２０）。
【００４６】
帳票管理サーバ４においては、申請データの処理要求が行なわれると、申請データをＸＭＬ形式に変換する処理を行ない（図９のＳ１７）、ＸＭＬ形式の申請データを窓口サーバ５に送信する（図９のＳ１８、図８のＴ２１）。
【００４７】
その後、クライアントコンピュータ１に申請の取得・提出画面の表示を行なわせる（図８のＴ２２）。図１４は、このような申請の取得・提出画面を示す図である。この際、申請に関する添付ファイルなどがある場合には受け付ける。
【００４８】
図１４に示す画面において、「申請書を提出する」ボタン５１を押下すると、申請書の提出を行なう旨が窓口サーバ５に通知され（図８のＴ２３）、窓口サーバ５からデータベースサーバ７に申請データ、添付ファイル（存在すれば）などの登録要求が行なわれる（図８のＴ２４）。
【００４９】
そして、これら申請データ、添付ファイル（存在すれば）などがデータベースサーバ７に登録されると（図９のＳ１９）、データベースサーバ７から仮受付ＩＤが窓口サーバ５に送信され（図８のＴ２５）、窓口サーバ５は、この仮受付ＩＤをクライアントコンピュータ１に送信して、申請結果を画面に表示させる（図８のＴ２６、図９のＳ２０）。図１５は、クライアントコンピュータ１に表示される申請受付結果を表示する画面を示す図である。
【００５０】
なお、申請データのデータベースサーバ７への登録は、図３に示したテーブルに格納される情報のいずれかの情報に関連付けされて登録されるが、本発明の実施の形態においては、登録要求（文書）テーブル２３の「文書名」に関連付けて登録されるものとする。
【００５１】
したがって、本発明の実施の形態に係る電子申請システムによれば、様式に関する処理は帳票管理サーバにおいて行なわれるので、多様な様式の電子申請システムにも対応することができる。
【００５２】
次に、登録済みの申請データを様式Ｂにしたがって、参照するための処理について、図１６のフローチャート及び図１７のシーケンス図を参照して説明する。
【００５３】
まず、クライアントコンピュータ１において、図１８に示すような申請書の状況一覧を示す画面を表示する。ここで、図１８に示した画面は、様式Ｂの申請手続きを選択するための画面である。
【００５４】
この図１８に示した画面において、ユーザが申請状況を確認したい申請手続きの仮受付ＩＤを選択すると、この仮受付ＩＤがクライアントコンピュータ１から窓口サーバ５に送信される（図１７のＴ３１）。なお、ここでは、仮受付ＩＤを選択する場合について示したが、申請ＩＤを選択してもよい。
【００５５】
窓口サーバ５は、クライアントコンピュータ１から選択された様式Ｂの手続きを示す情報（仮受付ＩＤ）を受信すると、選択された様式Ｂの手続きを示す情報（仮受付ＩＤ）をデータベースサーバ７に送信する（図１７のＴ３２）。
【００５６】
データベースサーバ７においては、クライアントコンピュータ１からの選択された様式Ｂの手続きを示す情報（仮受付ＩＤ）を受信すると、この受信した選択された様式Ｂの手続きを示す情報（仮受付ＩＤ）をキーとして、図３に示した、申請内容テーブル２１、申請手続きテーブル２２、登録要求（文書）テーブル２３及び様式テーブル２４を使用して、選択された手続きに対応する様式情報を様式テーブル２４から取得して、窓口サーバ５に送信する（図１７のＴ３３）。
【００５７】
具体的には、データベースサーバ７は、受信した様式Ｂの手続きを示す情報（仮受付ＩＤ）をキーとして、申請内容テーブル２１から手続きＩＤを取得し、この取得した手続きＩＤをキーとして、申請手続きテーブル２２から登録要求ＩＤ（申請データ登録要求ＩＤ、審査結果登録要求ＩＤ、公文書登録要求ＩＤ）を決定し、この登録要求ＩＤをキーとして、登録要求（文書）テーブル２３から様式ＩＤを決定する。そして、この決定された様式ＩＤをキーとして、様式テーブル２４から（様式Ｂの）様式情報を取得する。そして、この取得された様式Ｂの様式情報は、データベースサーバ７から窓口サーバ５に送信される（図１７のＴ３３）。
【００５８】
窓口サーバ５は、データベースサーバ７から受信した選択された手続きに対応する様式情報に基づいて、図１９に示すようなクライアントコンピュータ１に選択された手続きの申請書の状況詳細画面を表示させる（図１７のＴ３４）。
【００５９】
図１９に示した申請書の状況詳細画面において、ユーザが文書名を選択すると、選択された文書名を示す情報がクライアントコンピュータ１から窓口サーバ５に送信される（図１７のＴ３５）。
【００６０】
窓口サーバ５は、クライアントコンピュータ１から選択された様式Ｂの文書を示す情報（文書名）を受信すると（図１６のＳ３１）、受信した様式Ｂの文書を示す情報に対応する申請データのダウンロードをデータベースサーバ７に要求する（図１６のＴ３６、図１７のＳ３２）。
【００６１】
データベースサーバ７は、窓口サーバ５から送信された様式Ｂの文書を示す情報（文書名）に対応する申請データを（ファイル実体）取得して、窓口サーバ５に送信する（図１７のＴ３７）。
【００６２】
窓口サーバ５は、データベースサーバ７から申請データを取得すると（図１６のＳ３３）、この取得した申請データを帳票管理サーバ４に送信する（図１６のＳ３４）とともに、帳票管理サーバ４に対して、申請データを様式Ｂの申請書のフォームにマージする要求を出力する（図１７のＴ３８）。
【００６３】
帳票管理サーバ４においては、申請データを様式Ｂの申請フォームに沿うようにマージして（図１６のＳ３５）、その後、様式Ｂの申請フォームにマージされた申請データをＨＴＭＬに変換し（図１６のＳ３６）、ＨＴＭＬ形式に変換された様式Ｂの申請フォームにマージされた申請データを窓口サーバ５に送信する（図１６のＳ３７、図１７のＴ３９）。
【００６４】
そして、窓口サーバ５においては、ＨＴＭＬ形式に変換された様式Ｂの申請フォームにマージされた申請データをクライアントコンピュータ１に送信して、クライアントにおいて選択された様式Ｂの申請書を画面に表示させる。図２０及び図２１は、クライアントコンピュータ１に表示される様式Ｂの申請書を示す図である。これにより、ユーザにより選択された様式Ｂの文書名に対応する申請書を確認することができる。
【００６５】
したがって、本発明の実施の形態に係る電子申請システムによれば、電子申請基盤サーバが受け付けることができる様式とは異なる様式の電子申請を受け付けた場合に、当該異なる様式に関する処理は、電子申請基盤サーバ３とは別に設けられた帳票管理サーバ４において行なうことにより、異なる様式の電子申請を可能にすることができる。
【００６６】
なお、本願発明は、上記実施形態に限定されるものでなく、実施段階ではその要旨を逸脱しない範囲で種々に変形することが可能である。
【００６７】
【発明の効果】
以上詳記したように、本発明によれば、電子申請基盤サーバが受け付けることができる様式とは異なる様式の電子申請を受け付けることができる。
【図面の簡単な説明】
【図１】本発明の実施の形態に係る電子申請システムについて説明するための図である。
【図２】データベースサーバの様式テーブルに様式Ｂの様式情報を登録する場合の処理について説明するためのシーケンス図である。
【図３】データベースサーバにおいて管理されるテーブルを示す図である。
【図４】データベースサーバの様式テーブルに様式Ｂの様式情報を登録する場合の処理について説明するためのフローチャートである。
【図５】様式Ｂの様式名の一覧を表示する画面を示す図である。
【図６】様式新規作成画面を示す図である。
【図７】クライアントコンピュータ１に表示された登録結果を示す画面の例である。
【図８】本発明の実施の形態に係る電子申請システムにおける電子申請方法について説明するためのシーケンス図である。
【図９】本発明の実施の形態に係る電子申請システムにおける電子申請方法について説明するためのフローチャートである。
【図１０】クライアントコンピュータに表示される申請手続き一覧画面を示す図である。
【図１１】申請書の取得・提出画面を示す図である。
【図１２】クライアントコンピュータに表示される様式Ｂの申請書を示す画面の一例である。
【図１３】クライアントコンピュータに表示される様式Ｂの申請書を示す画面の一例である。
【図１４】申請書の取得・提出画面を示す図である。
【図１５】クライアントコンピュータに表示される申請受付結果を表示する画面を示す図である。
【図１６】登録済みの申請データを様式Ｂにしたがって、参照するための処理について説明するためのフローチャートである。
【図１７】登録済みの申請データを様式Ｂにしたがって、参照するための処理について説明するためのシーケンス図である。
【図１８】申請書の状況一覧を示す画面を示す図である。
【図１９】選択された手続きの申請書の状況詳細画面を示す図である。
【図２０】クライアントコンピュータに表示される様式Ｂの申請書を示す図である。
【図２１】クライアントコンピュータに表示される様式Ｂの申請書を示す図である。
【符号の説明】
１…クライアントコンピュータ、２…ネットワーク、３…電子申請基盤サーバ、４…帳票管理サーバ、５…窓口サーバ、６…基盤サーバ、７…データベースサーバ、１１…様式Ｂ用処理プログラム、１２…様式Ａ用処理プログラム、２１…申請内容テーブル、２２…申請手続きテーブル、２３…登録要求（文書）テーブル、２４…様式テーブル。
【図１】
2004272444.tif 000003
【図２】
2004272444.tif 000004
【図３】
2004272444.tif 000005
【図４】
2004272444.tif 000006
【図５】
2004272444.tif 000007
【図６】
2004272444.tif 000008
【図７】
2004272444.tif 000009
【図８】
2004272444.tif 000010
【図９】
2004272444.tif 000011
【図１０】
2004272444.tif 000012
【図１１】
2004272444.tif 000013
【図１２】
2004272444.tif 000014
【図１３】
2004272444.tif 000015
【図１４】
2004272444.tif 000016
【図１５】
2004272444.tif 000017
【図１６】
2004272444.tif 000018
【図１７】
2004272444.tif 000019
【図１８】
2004272444.tif 000020
【図１９】
2004272444.tif 000021
【図２０】
2004272444.tif 000022
【図２１】
2004272444.tif 000023